(57)【特許請求の範囲】
【請求項１】
先端に先端部材を設けた挿入部と、
上記挿入部の基端に設けられ、把持部を備えた操作部と、
上記先端部材に観察窓の外表面に対向して設けられた噴出ノズルと、
上記挿入部から上記操作部内にわたり配置されるとともに、上記噴出ノズルに接続され、その噴出ノズルに気体及び液体を供給する送気送液管路と、
上記送気送液管路に送気送液管路分岐部を介して接続され、上記送気送液管路分岐部を通じて上記送気送液管路に送気を行う送気管路と、
上記送気送液管路に上記送気送液管路分岐部を介して接続され、上記送気送液管路分岐部を通じて上記送気送液管路に送液を行う送液管路と、
上記操作部の、上記把持部より先端側に位置する部位に配設され、上記挿入部内に配置される処置具挿通チャンネルを上記操作部に設けられた処置具挿入口に接続するとともに上記処置具挿通チャンネルを吸引チャンネルに接続する吸引管路分岐部と、
上記操作部に設けられ、上記挿入部内空間の断面積より大きな断面積を有する空間を形成する膨大部と、
を具備し、
上記膨大部内に上記吸引管路分岐部より上記把持部側に位置して上記送気送液管路分岐部を配置したことを特徴とする内視鏡。
【請求項２】
更に、上記送気管路及び上記送液管路に送気送液を行う送気送液制御弁を上記操作部に設け、上記送気送液管路分岐部はその分岐用口金部をそれぞれ形成するパイプ材を有し、上記各パイプ材を他の管路部材を介さず直接に上記送気送液制御弁の流出側口金部にそれぞれ接続したことを特徴とする請求項１に記載の内視鏡。
【請求項３】
上記挿入部に設けられた湾曲部を湾曲する湾曲機構を上記操作部に設け、上記湾曲機構は上記操作部内に配置されたベースの片面側に配置され、上記送気送液管路分岐部は上記ベースの他面側に配置されたことを特徴とする請求項１または請求項２に記載の内視鏡。
【発明の詳細な説明】
【０００１】
【発明の属する技術分野】
本発明は、挿入部の先端にある噴出ノズルに気体を供給する送気管路と液体を供給する送液管路を有した内視鏡に関する。
【０００２】
【従来の技術】
内視鏡の挿入部先端には対物レンズの外表面を洗浄するための噴出ノズルが設けられており、この噴出ノズルには気体を供給する送気管路と液体を供給する送液管路が接続されている。特開平６−４６９９０号公報で知られる如く、送気管路を形成する送気チューブと送液管路を形成する送液チューブはいずれも挿入部内に配置され、また、先端部付近で一本のパイプに接続され、噴出ノズルに連通されている。
【０００３】
【発明が解決しようとする課題】
（従来技術の問題点）
特開平６−４６９９０号公報で知られるものでは挿入部内に送気チューブと送液チューブの両方を配置するために、その分、挿入部内に設置スペースを多く必要とする。また、送気チューブと送液チューブが先端部付近で一本のパイプから分岐する構造であるため、その分岐部の接続口金及びチューブ接続用糸巻き部等により他の部分より太くなる。
【０００４】
このように送気チューブと送液チューブの両方と分岐部を挿入部内に配置するため、それらを設置するスペースを多くとる必要があり、挿入部の内径を大きくしている。この結果、必然的に挿入部の外径が太くなり、挿入性が低下し、患者にとっては苦痛を伴う。
【０００５】
（目的）
本発明は上記課題に着目してなされたものであり、その目的とするところは、挿入部の先端にある噴出ノズルに接続する送気管路及び送液管路を有する内視鏡であっても挿入部を細径化することができる内視鏡を提供することにある。
【０００６】
【課題を解決するための手段及び作用】
本発明は、先端に先端部材を設けた挿入部と、上記挿入部の基端に設けられ、把持部を備えた操作部と、上記先端部材に観察窓の外表面に対向して設けられた噴出ノズルと、上記挿入部から上記操作部内にわたり配置されるとともに、上記噴出ノズルに接続され、その噴出ノズルに気体及び液体を供給する送気送液管路と、上記送気送液管路に送気送液管路分岐部を介して接続され、上記送気送液管路分岐部を通じて上記送気送液管路に送気を行う送気管路と、上記送気送液管路に上記送気送液管路分岐部を介して接続され、上記送気送液管路分岐部を通じて上記送気送液管路に送液を行う送液管路と、上記操作部の、上記把持部より先端側に位置する部位に配設され、上記挿入部内に配置される処置具挿通チャンネルを上記操作部に設けられた処置具挿入口に接続するとともに上記処置具挿通チャンネルを吸引チャンネルに接続する吸引管路分岐部と、上記操作部に設けられ、上記挿入部内空間の断面積より大きな断面積を有する空間を形成する膨大部と、を具備し、上記膨大部内に上記吸引管路分岐部より上記把持部側に位置して上記送気送液管路分岐部を配置したことを特徴とする内視鏡である。
本発明によれば、挿入部内に配される、気体及び液体を供給する管路を一つにまとめることができることで、挿入部を細径化できる。
【０００７】
【発明の実施の形態】
［第１実施形態］
図１乃至図１０を用いて本発明の第１の実施形態を説明する。
【０００８】
（構成）
図１は第１実施形態に係る内視鏡システム１の全体の構成を概略的に示す。内視鏡システム１は、電子式の内視鏡２と、内視鏡周辺装置としての付帯設備３とからなる。付帯設備３は、光源装置４、カメラコントロールユニット（ＣＣＵ）を含む画像処理装置５、モニター６、吸引装置７、及び入出力操作用キーボード８、送液タンク９などを有し、これらは架台１０に設置されている。
【０００９】
内視鏡２は操作部１１、挿入部１２及びユニバーサルコード１３を有し、ユニバーサルコード１３の延出先端には光源装置４や画像処理装置５等に接続するためのコネクタ部１４が設けられている。挿入部１２は可撓管部１５の先端に湾曲管部１６を接続すると共に、湾曲管部１６の先端に先端部１７を接続して構成されている。先端部１７の先端面部には照明光学系の照明レンズ１８、観察光学系の対物レンズ１９、送気管路と送液管路に通じる噴出ノズル２０、及び後述する処置具挿通チャンネル２１の先端開口部２２が設けられている。上記照明光学系は照明レンズ１８の他にその内視鏡２の内部に組み込まれたライトガイドファイバーバンドル１０１（図５を参照）等を有する。上記観察光学系の対物レンズ１９には固体撮像素子を有する撮像ユニット部２３が接続され、撮像ユニット部２３には信号ケーブル２４が接続されている。信号ケーブル２４はユニバーサルコード１３のコネクタ部１４まで導かれ、後述する電気接続部に接続されている。
【００１０】
ユニバーサルコード１３のコネクタ部１４には図２で示すように、送気口金３１、送液口金３２、吸引口金３３、加圧口金３４、ライトガイド口金３５及び電気接続部３６等が配設されている。加圧口金３４は送気口金３１に通じる管路より分岐した管路により構成されている。送気口金３１には送気チューブ３７が接続され、送液口金３２には送液タンク９の送液出口に通じる送液チューブ３８が接続され、吸引口金３３には吸引チューブ３９が接続され、加圧口金３４には送液タンク９の加圧口金部に通じる加圧チューブ４１が接続され（図１参照）、電気接続部３６には画像処理装置５に通じる電気ケーブル４２（図１参照）が接続される。吸引口金３３には吸引装置７に通じる排出チューブ４０が接続されている。
【００１１】
図２で示すように、送気チューブ３７、送液チューブ３８及び吸引チューブ３９はいずれもユニバーサルコード１３内を通じて操作部１１内に導かれている。内視鏡２の内部において、送気チューブ３７は送気管路を形成し、送液チューブ３８は送液管路を形成し、吸引チューブ３９は吸引管路を形成する。内視鏡２の操作部１１の内部において、送気チューブ３７と送液チューブ３８の途中には送気送液制御弁４５が介挿され、吸引チューブ３９の途中には吸引制御弁４６が介挿されている。
【００１２】
送気チューブ３７の先端と送液チューブ３８の先端は操作部１１の内部においてＹの字状に形成された送気送液管路分岐部４７を介して一本の送気送液管路を構成する送気送液チューブ４９に合流している。送気送液チューブ４９は挿入部１２内を通じて先端部１７まで導かれ、噴出ノズル２０に接続されている。送気送液制御弁４５を操作することにより送気管路と送液管路の切り替えと開閉により送気送液管路分岐部４７を通じて一本の送気送液チューブ４９に対しての送気または送液を選択的に行うようになっている。そして、噴出ノズル２０から対物レンズ１９のレンズ面に向けて水や空気等の流体を噴き付けてレンズ面の清掃を行う。
【００１３】
一方、吸引チューブ３９の先端は略Ｙの字状の吸引管路分岐部５１を介して処置具挿通チャンネル２１の途中部分に接続され、処置具挿通チャンネル２１の先端側部分と吸引チューブ３９とにより吸引管路を形成している。処置具挿通チャンネル２１の吸引管路を形成しない手元側部分は操作部１１の把持部５３の部分よりも折止め部５４側に片寄って位置する隆起部５５の突出端面に導かれて配設され、この手元側開口部により鉗子挿入口５２を形成している。鉗子挿入口５２の端縁部には鉗子栓５６が着脱自在に装着されている。鉗子栓５６を装着した鉗子挿入口５２は操作部１１の把持部５３より先端側に位置している。
【００１４】
操作部１１において吸引チューブ３９の途中には上記吸引操作ボタン５９を有した吸引制御弁４６が介挿されている。吸引制御弁４６は通常、吸引チューブ３９を閉止して吸引作用を遮断しているが、吸引操作ボタン５９を押し込み操作すると、吸引チューブ３９を開放し、吸引チューブ３９を通じての吸引作用が第１の処置具挿通チャンネル２１に作用するようになっている。そして、吸引操作ボタン５９を押込む操作を行うことにより吸引チューブ３９を開放し、吸引管路の先端開口部２２より体腔内の粘液等を吸引して回収する。
【００１５】
尚、吸引制御弁４６は吸引チューブ３９を閉止し、第１の処置具挿通チャンネル２１に対する吸引作用を遮断しているとき、吸引ポンプの負荷を軽減するために外気を吸引できるように構成されている。
【００１６】
上記操作部１１には湾曲管部１６を上下／左右方向に湾曲させるときの操作を行う湾曲操作ノブ５７、上記送気送液制御弁４５の操作を行うための送気送液操作ボタン５８、上記吸引制御弁４６の操作を行うための吸引操作ボタン５９の他、各種の操作スイッチ６０が設けられている。
【００１７】
操作部１１は挿入部１２が接続される接続端近傍に位置して、挿入部１１の内部空間の大きさ（図２中ｈ）よりも大きな空間よりなる膨大部６１（図２中Ｈ）が形成されている。つまり膨大部６１は挿入部１２内空間の断面積よりも大きな断面積を有する。
【００１８】
送気チューブ３７と送液チューブ３８に分岐する略Ｙ字状の送気送液管路分岐部４７はその膨大部６１内に配置されている。送気チューブ３７と送液チューブ３８は後方へ挿入部１２の軸方向に平行に延びる接続端部にそれぞれ接続されており、噴出ノズル２０に通じて送気送液チューブ４９は前方へ挿入部１２の軸方向に平行に延びる１つの接続端部に接続されている。このため、送気チューブ３７と送液チューブ３８と送気送液チューブ４９は送気送液管路分岐部４７に対して膨らむことなくコンパクトに接続されている。
【００１９】
また、送気送液管路分岐部４７と吸引管路分岐部５１は操作部１１内の膨大部６１内に配置されると共に送気送液管路分岐部４７は吸引管路分岐部５１よりも手元側に位置して配置されている。
【００２０】
次に、図３を用いて上記送気送液制御弁４５の構造を説明する。送気送液制御弁４５は送気送液シリンダ７１と、これに挿入される弁体部であるピストン７２と、送気送液シリンダ７１にピストン７２を取り付けるためのゴム製の取付け用リング部材７３とにより構成されている。ピストン７２には中心軸方向に沿い、外端に開口した透孔７４が設けられており、この透孔７４の内端（外部に露呈しない側の端）が側孔７５を通じてピストン７２の側方に開口している。
【００２１】
ピストン７２の、送気送液シリンダ７１に挿入されない外端部には送気送液操作ボタン５８を兼ねたフランジ部材７６が一体的に設けられており、フランジ部材７６と取付け用リング部材７３の間には付勢部材であるバネ７７が配されている。ピストン７２には送気送液シリンダ７１の内周面と密接するようにした、第１のパッキン７８、第２のパッキン７９、弁８０が配されている。
【００２２】
一方、送気送液シリンダ７１には硬質のパイプ部材から成る流入側口金８１，８２が半田またはロー付け等により気密的に固着されており、口金８１には送気管路の上流側送気チューブ３７が、口金８２には送液管路の上流側送液チューブ３８がそれぞれ気密的に接続されている。口金８１,８２に送気チューブ３７と 送液チューブ３８をそれぞれ接続する場合、口金８１,８２に送気チューブ３７ と送液チューブ３８をそれぞれ外嵌した上でそれらの外周を糸８３等で縛り、縛り部を接着剤８４等にて固着してなる。送気送液シリンダ７１には流出側口金部８６，８７が設けられている。口金部８６には送気管路の下流側管路部分が、口金部８７には送液管路の下流側管路部分がそれぞれ気密的に接続されている。
【００２３】
図３で示すように、流出側口金部８６，８７には送気送液管路分岐部４７が接続されている。尚、ここでの送気送液管路分岐部４７は図２で示したものとは相違する。図３で示すものは、パイプ材９１の途中に別のパイプ材９２を斜めに接続して３方に分岐する形に構成されている。そして、送気管路に接続する送気管路口金部９３と、送液管路に接続する送液管路口金部９４と、送気送液用チューブ４９に接続する送気送液管路口金部９５との３つに分岐しており、送気管路口金部９３は送気送液シリンダ７１の流出側口金部８６まで斜めに直線的に延長してその口金部８６に直接に接続されている。また、送液管路口金部９４は送気送液シリンダ７１の流出側口金部８７まで直線的に延長してその口金部８７に直接的に接続されている。さらに送気送液管路口金部９５には送気送液チューブ４９が接続されている。つまり、図３で示す送気送液管路分岐部４７は送気送液制御弁４５に近接かつ隣接して付設され、送気送液シリンダ７１の、挿入部１２側に位置し、挿入部１２の軸方向の前後にコンパクトに配置されている。送気送液管路口金部９５に送気送液チューブ４９を接続する場合は送気送液管路口金部９５に送気送液チューブ４９を外嵌した上でそれらの外周を糸８３等で縛り、その縛り部を接着剤８４等にて固着する。
【００２４】
図４及び図５は内視鏡２の内部構造を示すものであり、内視鏡２の内部には先端部１７に配設された照明レンズ１８を介して体腔内に照明光を拡開照射すべく、その照明レンズ１８に照明光を伝達するライトガイドファイバ１０１と、上記先端部１７に配設された対物レンズ１９を介して撮像ユニット部２３から得た体腔内観察像の画像信号を伝送する信号ケーブル２４が設けられている。
【００２５】
操作部１１内には硬質の基盤であるベース１０５が配されている。このベース１０５の一面側には挿入部１２の湾曲管部１６を湾曲駆動させるための機構である湾曲機構１０６が組み付けられており、湾曲機構１０６は図示されない回転ドラム又はスプロケットが一部に構成されており、該回転ドラムまたはスプロケットには同軸にて湾曲操作ノブ５７が延接されている。
【００２６】
ベース１０５の挿入部側端部には筒状の部材よりなる接続筒体１０７がネジ等により固定されており、接続筒体１０７には前述した吸引管路分岐部５１がネジ等にて固定されている。ベース１０５、湾曲機構１０６及び接続筒体１０７の周りにはこれらを外装する第１の外装体１１１が配されており、第１の外装体１１１の一端を第２の外装体１１２（図６参照）に当て、他端を接続筒体１０７の外周に螺合した接続環１１３に当てて挟持されることにより組み付けられている。第１の外装体１１１と接続筒体１０７の間には外装筒１１４が介在している。
【００２７】
第２の外装体１１２には図７で示す如く、湾曲操作ノブ５７、送気送液制御弁４５の送気送液シリンダ７１、及び吸引制御弁４６の吸引シリンダ等が取り付けられている。
【００２８】
接続筒体１０７の挿入部側端部には挿入部１２の基端が接続口金１１８を介して接続されている。挿入部１２は螺旋管１１５、編線１１６及び外皮樹脂１１７を積層してなる。
【００２９】
ここで、接続筒体１０７の内径Ｈは、挿入部１２の接続口金１１８の外径よりも大きく形成されている。接続筒体１０７の内径Ｈは挿入部１２を構成する螺旋管１１５の内径ｈよりも大きく構成されている。また、接続筒体１０７にて挿入部１２よりも内部空間を大きく形成される上記膨大部６１が接続口金１１８よりも手元側に位置して構成されている。
【００３０】
第１の外装体１１１の挿入部側端には外装筒１１４を介して弾性部材よりなる補強部材１１９が配されている。補強部材１１９はテーパ状に形成されていて、液密性を保って被嵌すると共に挿入部１２の外表面に滑らかにつなぐ。補強部材１１９は接続筒体１０７の外周に螺合し配された筒状の接続環１１３の外周に被着されている。
【００３１】
送気送液管路分岐部４７は、第１の外装体１１１内において、ベース１０５の湾曲機構１０６が配されない面側に位置して配設され、かつ吸引管路分岐部５１よりもベース１０５側に位置して配置されている。また、送気送液管路を形成する送気送液チューブ４９は接続筒体１０７に囲まれる空間部内において、ループ４９ａを構成していてもよい。
【００３２】
図５（ａ）は図４のＸ−Ｘに沿う部分の横断面を示しており、これより分かるように、ベース１０５の湾曲機構１０６が配されない面側の領域には、送気チューブ３７、送液チューブ３８、吸引チューブ３９及び信号ケーブル２４、ライトガイドファイバ１０１等が配されている。
【００３３】
図５（ｂ）は図４のＹ−Ｙに沿う部分の横断面を示しており、図５（ｃ）は図４のＺ−Ｚに沿う部分の横断面を示している。１２２は湾曲操作ワイヤである。
【００３４】
図６は第１の外装体１１１を挿入側にずらして内部を露出させた状態の内視鏡２の斜視図である。図７は図６中矢視Ｙから見た面における各管路構成を示し、ベース１０５の、湾曲機構１０６が配置されていない面側の管路構成を示す。
【００３５】
図７で示されるように、吸引管路分岐部５１より操作部１１側に延出された吸引チューブ３９は一旦、吸引制御弁４６を介してユニバーサルコード１３へ連接されている。送気送液管路分岐部４７は吸引管路分岐部５１より操作部１１側に位置して配置されている。しかし、図８に示されるように、ベース１０５にネジ１３２等にて固定する固定部材１３１を利用して送気送液管路分岐部４７を固定するようにしてもよい。
【００３６】
送気送液管路分岐部４７より延出された送気チューブ３７、送液チューブ３８は一旦、送気送液制御弁４５を介してユニバーサルコード１３内に導かれている。
【００３７】
図８に示すように、固定部材１３１は円弧状に形成された薄肉の金属板からなり、この固定部材１３１をベース１０５にネジ１３２等にて固定するものであるが、樹脂等にて形成された柔軟な部材でも良く、また、図９に示されるように、送気送液管路分岐部４７を樹脂又は金属による型成型にて形成し、この一部にネジ等が係合する孔部１３３を設け、これを利用してベース１０５に取り付けるようにしてもよい。
【００３８】
ここで、図１０を用いて、送気送液管路分岐部４７に各チューブ３７,３８,４９を着脱自在に接続する接続方式の一例を示す。送気送液管路分岐部４７の各端部には接続口金１３５が気密的に接着又は半田等にて固定されている。接続口金１３５の一端部にはチューブ３７,３８,４９を嵌合するテーパー状外周面１３６が形成され、他端部外周には雄ネジ部１３７が形成されている。雄ネジ部１３７には締付けリング１３８が装着されるようになっている。
【００３９】
各チューブ３７,３８,４９は接続口金１３５のテーパー状外周面１３６に外嵌して配してあり、さらに各チューブ３７,３８,４９の外嵌部外周面にはテーパー状の内径を形成されたリング状の部材であるテーパ管１３９が配されている。テーパ管１３９は大きく形成された内径部の径が、接続口金１３５に形成されたテーパー状外周部１３５の最小外径よりも大きく、テーパー状外周部１３６の最大外径よりも小さく形成されている。
【００４０】
締付けリング１３８は一端に接続口金１３５の雄ネジ部１３７に螺合する雌ネジ部１４１を有し、他端には、これに取り付けられるチューブ３７,３８,４９の外径よりも大きく、テーパ管１３９の外径よりも小さな径よりなる開口部１４２を有する。締付リング１３８の開口部１４２のフランジ部１４３が、テーパ管１３９の端に当接し、接続口金１３５に螺合して締め付けることにより配されている。
【００４１】
（作用）
図２に示すように、送気口金３１から送り込まれた気体は加圧口金３４より流出するものと、送気チューブ３７を通り、送気送液制御弁４５の送気送液シリンダ７１に導かれるものとに別れる。送気送液シリンダ７１に導かれた気体は通常の待機時、図３に示されるように、ピストン７２に形成された透孔７４を通って外部へ流出する。
【００４２】
送気送液操作ボタン５８の透孔７４の開口端を指等にて塞ぐと、送気送液シリンダ７１内に流入した気体は挿入部１２側の送気チューブ３７へ流入し、送気送液管路分岐部４７を経て送気送液チューブ４９、噴出ノズル２０へと導かれる。
【００４３】
送気送液操作ボタン５８を指等にて押し込むと、図３の中心線右側部分で示すようにピストン７２が送気送液シリンダ７１内に押し込まれ、送気チューブ３７より流入した気体は送気送液制御弁４５により行き場を塞がれる。
【００４４】
ここで、加圧気体は行き場を失って加圧口金３４より加圧チューブ４１へと導かれ、送液タンク９の内部空間を加圧する。これにより加圧された液体は加圧チューブ４１内の導液チューブを通って、送液口金３２へと導入され、送液チューブ３８を通り送気送液シリンダ７１内へ流入する。
【００４５】
送気送液シリンダ７１に流入した液体は第２のパッキン７９と送気送液シリンダ７１により囲まれた空間を通って、挿入部１２側の送液チューブ３８へと導かれる。この後、液体は送気送液管路分岐部４７を経て送気送液チューブ４９から噴出ノズル２０へと導かれる。
【００４６】
ところで、送気送液管路分岐部４７は操作部１１の内部に配されており、挿入部１２の内部の管路構成としては送気送液チューブ４９のみの管路構成となる。
また、図３に示すように、送気送液管路分岐部４７を送気送液シリンダ７１に直接に接続する場合、送気送液管路分岐部４７と送気送液シリンダ７１を接続する管路が要らない。
【００４７】
図４に示すように、送気送液管路分岐部４７は挿入部１２の内部空間ｈよりも大きな空間Ｈを有する接続筒体１０７内に配されており、図５（ｂ）及び図５（ｃ）に示すように、他の内蔵物が密集した状態の挿入部１２内よりも接続筒体１０７内に配する方が、送気送液管路分岐部４７の形状等の構成に対する制約条件が少ない。
【００４８】
さらに、送気送液管路分岐部４７が接続筒体１０７内に配置され、しかも吸引管路分岐部５１の部分よりも手元側に位置して配されているため、接続筒体１０７内で吸引管路分岐部５１に干渉することもない。これらはベース１０５における、湾曲機構１０６が配されない面側に設けられているため、他面側にある湾曲機構１０６の駆動部と干渉しない。
【００４９】
また、送気送液チューブ４９の途中にはループ４９ａが形成されているため、挿入部１２を曲げたり、湾曲管部１６の湾曲動作により送気送液チューブ４９が挿入部１２の長手方向に進退された場合、そのループ４９ａのループ径が大きくなったり、小さくなったりすることで、送気送液チューブ４９の進退量を吸収することができる。送気送液チューブ４９にダメージを与えない。
【００５０】
図７に示すように、ベース１０５に送気送液管路分岐部４７を固定することで、送気送液管路分岐部４７が、他の内蔵物、とりわけ画像伝送用電気ケーブル２４、ライトガイドファイバ１０１等に干渉しない。
【００５１】
図４の補強部材１１９及び接続環１１３を接続筒体１０７より取り外し、鉗子挿入口５２を吸引管路分岐部５１より取り外すことで、第１の外装体１１１は図６で示すように挿入部１２の方向にずらし取り外すことができる。これにより、ベース１０５、湾曲機構１０６が外部に露呈されるようになり、つまりは送気送液管路分岐部４７も外部に露呈されるようになる。
【００５２】
また、図１０に示すように、送気チューブ３７、送液チューブ３８及び送気送液チューブ４９の接続端部は、いずれも接続口金１３５とテーパ管１３９によりその内外両周面が挟まれ、さらに締付リング１３８を接続口金１３５に対してねじ込むことで、テーパ管１３９が接続口金１３５のテーパー状面に押し付けられ、接続口金１３５とテーパ管１３９の間で挟持されている。
【００５３】
（効果）
送気送液操作ボタン５８の操作により噴出ノズル２０に気体や液体を噴出させることができると共に挿入部１２の内径及び外径を小さくすることができる。
【００５４】
送気送液管路分岐部４７が吸引管路分岐部５１及び湾曲機構１０６と干渉することがないので、送気送液管路分岐部４７の破損、送気チューブ３７、送液チューブ３８及び送気送液チューブ４９の折れ、湾曲機構１０６の駆動機構部分の破損等を引き起こすことがない。
【００５５】
また、ループ４９ａにより送気送液管路分岐部４７と送気送液チューブ４９の接続部に加わるストレスを未然に吸収することができ、該接続部の破損を招くことがない。同様に、送気送液チューブ４９の先端部１７における接続部での破損を招くこともない。
【００５６】
また、補強部材１１９と接続環１１３を取り外すのみで、第１の外装体１１１を取り外し、送気送液管路分岐部４７が外部に露呈されるため、送気送液管路分岐部４７が破損してもそれを簡便に交換することが可能である。
【００５７】
また、送気送液チューブ４９が挿入部１２内にて破損した場合、先端部１７における送気送液チューブ４９の接続部、及び送気送液管路分岐部４７と送気送液チューブ４９の接続部を外し、引き抜くことで簡便に交換が可能となる。
【００５８】
また、送気送液管路分岐部４７との接続部においても締付リング１３８を取り外すことで簡便に送気チューブ３７、送液チューブ３８及び送気送液チューブ４９を取り外すことが可能となる。
【００５９】
図３に示される構成、つまり送気送液管路分岐部４７を送気送液シリンダ７１に直接に接続するようにすれば、送気送液管路分岐部４７と送気送液シリンダ７１を連接する管路が不要となるため、該管路の分、費用を削減することができる。
【００６０】
［第２実施形態］
図１１乃至図１５を用いて本発明の第２実施形態を説明する。
（構成）
内視鏡２の挿入部１２の内部には気体及び液体を供給する管路送気送液チューブ４９が配されており、送気送液チューブ４９は先端部１７において噴出ノズル２０へ接続されている。また、送気送液チューブ４９は噴出ノズル２０に接続されない一端を送気送液管路分岐部４７に接続しており、送気送液管路分岐部４７には気体を供給する送気チューブ３７、液体を供給する送液チューブ３８が接続されている。送気チューブ３７及び送液チューブ３８は、ユニバーサルコード１３内を通り、コネクタ部１４にて対応する送気口金３１と送液口金３２にそれぞれ開口している。
【００６１】
さらに、コネクタ部１４には、送気口金３１の近傍にこれと同様に形成された第２の送気口金１５１が設けられており、第２の送気口金１５１は送液口金３２の近傍に配された加圧口金３４に接続されている。
【００６２】
また、挿入部１２内には処置具挿通チャンネル２１の一部を兼ねた吸引管路１５２が配され、吸引管路１５２の先端は先端部１７に開口した先端開口部２２に通じている。吸引管路１５２は一旦吸引管路分岐部５１を介してユニバーサルコード１３内を通りコネクタ部１４に設けられた吸引口金３３に接続されている。
【００６３】
操作部１１には送気送液操作ボタン１５３と吸引操作ボタン１５４が設けられ、送気送液操作ボタン１５３と吸引操作ボタン１５４は防水性を有する電気接点より構成されている。特に送気送液操作ボタン１５３は接点を少なくとも２段有したものよりなる。
【００６４】
送気送液操作ボタン１５３には導電性を有する線である送気送液信号ケーブル１５５が接続され、吸引操作ボタン１５４には吸引信号ケーブル１５６が接続され、送気送液信号ケーブル１５５と吸引信号ケーブル１５６はユニバーサルコード１３内を通り、コネクタ部１４の外部へ露呈して設けられた、導電性を有した送気送液信号接点１５７と吸引信号接点１５８に別々に接続されている。
【００６５】
次に、図１２を用いて、この内視鏡２が接続される光源装置１６０の構成について説明する。この光源装置１６０の本体１６１には内視鏡２のコネクタ部１４が接続される、コネクタ受け１６２が設けられており、本体１６１の内部にはライトガイド口金３５へ導かれる光の発生源であるランプ１６５、内視鏡２の送気管路へ気体を送り込むための送気ポンプ１６６が配されている。
【００６６】
送気ポンプ１６６の排出管路１６７にはこれより分岐して送気口金３１へ気体を導くための管路である第１の送気管路１６８と、第２の送気口金１５１へ気体を導くための管路である第２の送気管路１６９が続けて接続されている。第１の送気管路１６８と第２の送気管路１６９にはその管路を開閉するための、第１のバルブ１７１、第２のバルブ１７２が介挿して設けられている。
【００６７】
また、送気ポンプ１６６と第１のバルブ１７１又は第２のバルブ１７２の間の管路部分には第１のリーク管路１７３が接続されており、第１のリーク管路１７３の他端は外部に開口されている。この第１のリーク管路１７３の途中にはこの管路を開閉するための第３のバルブ１７４が設けられている。
【００６８】
これとは別に、両端を光源装置１６０には外部にて開口されている管路である吸引補助管路１７６が配設されている。この吸引補助管路１７６には途中から分岐する第２のリーク管路１７７が接続されている。第２のリーク管路１７７の先端は開口されている。また、吸引補助管路１７６及び第２のリーク管路１７７には管路を開閉するための第４のバルブ１７８、第５のバルブ１７９が設けられている。
【００６９】
コネクタ受け１６２にはコネクタ部１４を接続した場合において上記送気送液信号接点１５７と吸引信号接点１５８に電気的に接続されるように送気送液信号受信部１８１、吸引信号受信部１８２が設けられており、この送気送液信号受信部１８１、吸引信号受信部１８２は信号線１８３を通じて演算回路よりなる信号処理回路１８４に接続されている。信号処理回路１８４は送気送液信号受信部１８１、吸引信号受信部１８２のみならず、送気ポンプ１６６、第１のバルブ１７１、第２のバルブ１７２、第３のバルブ１７４、第４のバルブ１７８及び第５のバルブ１７９にも接続されている。信号処理回路１８４の信号処理の制御内容については図１４及び図１５に示すようになっている。
【００７０】
送液タンク９に接続される加圧チューブ４１は図１３で示すように構成されている。つまり加圧チューブ４１には導液チューブ１８５が形成されており、送気口金３１から加圧チューブ４１の管路を通じて送液タンク９内に加圧空気を送り込み、送液タンク９の内部空間を加圧する。送液タンク９内に準備された液体は導液チューブ１８５の管路を通じて送液口金３２に押し出される。
その他の構成については第１実施形態の構成と同様により説明を省略する。
【００７１】
（作用）
内視鏡２のコネクタ部１４を光源装置１６０のコネクタ受け１６２に接続することで、送気口金３１は第１の送気管路１６８と連接し、第２の送気口金１５１は第２の送気管路１６９と連接するようになる。この際に、送気送液信号接点１５７と吸引信号接点１５８がそれぞれ対応する送気送液信号受信部１８１と吸引信号受信部１８２と電気的に接続される。
【００７２】
ここで、図１４に示すように、送気送液操作ボタン１５３を何も操作しない場合、第３のバルブ１７４（Ｖ３）が開放され、第１のバルブ１７１（Ｖ１）、第２のバルブ１７２（Ｖ２）は閉め切られている。よって、送気ポンプ１６６より送り出される加圧気体は排出管路１６７から第１のリーク管路１７３を通り外部に排出される。
【００７３】
次に、送気送液操作ボタン１５３を１段目の接点まで押し込み入力（送気）すると、第１のバルブ１７１が開放され、第２のバルブ１７２と第３のバルブ１７４とは閉め切られる。よって、送気ポンプ１６６より送り出される気体は排出管路１６７から第１の送気管路１６８及び送気口金３１を順次通り内視鏡２の送気チューブ３７内へ送り込まれる。
【００７４】
さらに、送気送液操作ボタン１５３の２段目の接点位置まで押し込む入力（送液）を行うと、第２のバルブ１７２が開放され、第１のバルブ１７１と第３のバルブ１７４とは閉め切られる。よって、送気ポンプ１６６より送り出される気体は排出管路１６７から第２の送気管路１６９、第２の送気口金１５１、加圧口金３４を通り、送液タンク９に設けられた加圧チューブ４１を通じて送液タンク９へ送り込まれる。送液タンク９内へ送り込まれた気体はそのタンク内の空間を加圧し、送液タンク９内に準備された液体を導液チューブ１８５へ押し出す。導液チューブ１８５へ押し出された液体は送液口金３２を介して送液チューブ３８へ送り込まれる。
【００７５】
次に、送気送液操作ボタン１５３の接点を１段目（送気）に戻すと、信号処理回路１８４は送気ポンプ１６６の出力を一定時間（Ｔ）上昇させる信号を出力する。これと同時に、第２のバルブ１７２を閉め切り、第１のバルブ１７１を開放する。これにより、送気チューブ３７へ以前に実施された送気圧よりも高圧の気体が一定時間送り込まれる。また、吸引チューブ３９については、図示されない管路を用いて、吸引口金３３と吸引補助管路１７６を接続し、吸引補助管路１７６を図示されない吸引装置に接続する。
【００７６】
この際、吸引補助管路１７６から第２のリーク管路１７７が分岐する位置は第４のバルブ１７８が接続される位置よりも吸引装置側に設けられている。
【００７７】
図１５に示されるように、吸引操作ボタン１５４より信号が何も入力されない状態では、第４のバルブ１７８は閉め切られ、第５のバルブ１７９は開放されている。よって、吸引装置は第２のリーク管路１７７より外気を吸引することとなる。
【００７８】
吸引操作ボタン１５４より信号を入力すると、第５のバルブ１７９が閉め切られ、第４のバルブ１７８が開放される。よって、吸引チューブ３９を介して、先端開口部２２より吸引することができる。
その他の作用については、第１実施形態と同様にて説明を省略する。
【００７９】
（効果）
第１実施形態の効果に加えて、送気送液制御弁４５、吸引制御弁４６を管路構成に加える必要性がないため、簡便な管路構成にすることができる。また、送液後、高圧の送気を行うことで、送気送液チューブ４９内に残留する液体を短時間にて除去することが可能となり、送液と送気の切り替え時間を短くすることができる。
【００８０】
［第３実施形態］
図１６乃至図２２を用いて、本発明の第３実施形態を説明する。
【００８１】
（構成）
図１６は、挿入部１２の先端部１７付近に送気送液管路分岐部を設けた方式の管路構成を示すものである。送気チューブ３７、送液チューブ３８はその内径が同一の硬質のパイプ状の部材である第１の接続管２０１及び第２の接続管２０２の後端突出部に外嵌して接続され、さらに送気チューブ３７、送液チューブ３８の接続部の外周には糸２０３等が巻かれ、縛られている。
【００８２】
第１の接続管２０１及び第２の接続管２０２の先端部分は、先端部１７の本体部材を構成する硬質の先端硬質部２０４に形成された透孔である取付け路２０５に接着、半田またはロー付け等により気密的に接続されている。取付け路２０５は第１の接続管２０１を接続する管路部分と第２の接続管２０２を接続する管路部分を噴出ノズル２０に通じる管路部分に合流させる略Ｙの字状に分岐した管路としてある。
【００８３】
また、先端硬質部２０４の先端側部分には電気的絶縁性を有する例えば樹脂等より形成されたキャップ状の先端カバー２０６が固着されている。先端カバー２０６には取付け路２０５と連通する透孔２０７が形成されており、この透孔２０７には上記噴出ノズル２０が挿入されて固定されている。噴出ノズル２０は円柱状の部材により形成され、その軸方向に沿って内孔２０８が形成されている。内孔２０８の内径は噴出ノズル２０に通じる取付け路２０５の管路部分の内径と同一にて形成されている。噴出ノズル２０の先端には外部に露出する頭部２０９が形成され、その頭部２０９の側壁には、対物レンズ１９に対向した噴出ノズル噴出口２１０が開口している。
【００８４】
ここで、送気チューブ３７から第１の接続管２０１及びこれを取り付ける取付け路２０５の管路部分に至る送気管路の部分は等しい径で形成され、その内径をＡとし、送液チューブ３８から第２の接続管２０２及びこれを取り付ける取付け路２０５の管路部分に至る送液管路の部分は等しい径で形成され、その内径をＷとし、噴出ノズル２０を取り付ける取付け路２０５の管路部分から噴出ノズル２０の内孔２０８における管路部分は等しい径で形成され、その内径をＮとしたとき、Ｎ≦Ｗ＜Ａとなるように構成されている。また、噴出ノズル噴出口２１０の開口幅をｎとした場合、ｎ≦Ｎとなるように構成されている。
【００８５】
図１６の場合は挿入部１２の先端部１７付近に送気送液管路分岐部を設けた方式のものの例であるが、本発明では図１７で示すような管路構成をとる。つまり、送気チューブ３７、送液チューブ３８は先端部１７から離れた後方に位置した送気送液管路分岐部４７にて１本の送気送液チューブ４９に合流する。送気送液チューブ４９は硬質のパイプ状部材よりなる第３の接続管２１３に接続され、第３の接続管２１３の先端が先端硬質部２０４の直線的な取付け路２０５に気密接続される。このような管路構成において、送気送液チューブ４９の管路内径をＤとしたとき、Ｎ≦Ｄ≦Ｗ＜Ａとして構成されていてもよい。
【００８６】
上記構成において、各管路の内径をＡ、Ｗ、Ｎ、Ｄとしたが、各管路の断面積をＳA 、ＳW 、ＳN 、ＳD とした場合には、ＳN ≦ＳD ≦ＳW ＜ＳA と構成してなる。この際に、噴出ノズル噴出口２１０の断面積をＳn とすれば、Ｓn ≦ＳN となるように構成してある。
【００８７】
また、図１９に示すように、送気チューブ３７の内部に送液チューブ３８を配した管路構成において、図２０に示すように、硬質のパイプ部材で、その周面上に複数の透孔である通気口２２０を形成した第１の内管２２１に送液チューブ３８の先端部が接続されている。第１の内管２２１の外周には、通気口２２０を覆うように第１の外管２２２が気密固着されている。第１の外管２２２には送気チューブ３７の先端が気密的に接続されている。
【００８８】
送気チューブ３７及び送液チューブ３８の、第１の内管２２１と第１の内管２２１に接続されない他端においても同様に、送気チューブ３７は第２の内管２２５に接続され、送液チューブ３８は第２の外管２２６に接続されている。
【００８９】
この場合、送液チューブ３８の外周と送気チューブ３７の内周により構成される送気管路の断面積は送液チューブ３８内で構成される送液管路の断面積よりも大きく構成されている。また、複数の通気口２２０による総面積は、送液チューブ３８の外周と送気チューブ３７の内周による送気管路の断面積とほぼ同一になるように構成されている。
【００９０】
図２１に示されるように、１本のチューブ体である２ルーメンチューブ２３０として構成の場合には、送気管路２３１と送液管路２３２の２つの管路が構成されている。２ルーメンチューブ２３０は図２２に示すように、送気送液管路分岐部４７にその送気管路２３１と送液管路２３２を接続している。ここにおいても、送気管路２３１の断面積は送液管路２３２の断面積よりも大きく形成されている。
その他の構成については、第１、第２実施形態と同様にて説明を省略する。
【００９１】
（作用）
図１６の構成においては、送気チューブ３７の内径Ａが噴出ノズル２０に導かれる取付け路２０５の管路部分の内径Ｎよりも大きいため、取付け路２０５に流入する気体の流速が送気チューブ３７を流れる気体の流速よりも早くなる。また、送液チューブ３８の内径が取付け路２０５の管路部分の内径以上となっているため、取付け路２０５に流入する液体の流速が送液チューブ３８を流れる液体の流速よりも遅くなることはない。
【００９２】
図１７乃至図２２の構成においては、送気送液チューブ４９の管路内に流入する気体の流速が、送気チューブ３７の管路内を流れる気体の流速よりも早くなる。
【００９３】
送液チューブ３８より送気送液チューブ４９内に送液した後に、送気チューブ３７より送気した場合、送気送液チューブ４９内の残水を早く除去することができる。
【００９４】
加えて、噴出ノズル噴出口２１０の開口幅ｎが取付け路２０５の内径Ｎよりも小さいため、噴出ノズル噴出口２１０から噴出する気体及び液体の噴出速度は各管路内を流れる気体及び液体の流速よりも早い。
【００９５】
その他の作用については、第１、第２実施形態と同様にて説明を省略する。
【００９６】
（効果）
第１及び第２実施形態の効果に加えて、噴出ノズル２９の噴出口２１０より噴出される液体にて、対物レンズ１９の外表面に付着した汚物を除去する能力が向上する。また、対物レンズ１９の外表面に付着した水滴等を除去する能力が向上する。さらに、送液後の送気への切り替えが短時間に行える。
【００９７】
［第４実施形態］
図２３乃至図２６を用いて本発明の第４実施形態を説明する。
（構成）
図２３は挿入部１２の先端部１７の図２４中のＱ−Ｑ線に沿う部分の横断面図である。図２４は図２３中のΖ−Ζ線に沿う部分の断面図である。図２５は挿入部１２の先端部１７の図２６中のＲ−Ｒ線に沿う部分の横断面図である。図２６は図２５中のＰ−Ｐ線に沿う部分の断面図である。
【００９８】
図２３に示されるように、先端部１７の先端硬質部２４１には吸引チューブ（処置具挿通用チャンネルを兼用）２４２、ライトガイドファイバ２４３、撮像ユニット部２４４及び送気送液チューブ２４５が互いに近接して配されている。
【００９９】
図２４に示すように、吸引チューブ２４２は先端部１７の先端硬質部２４１に嵌挿した円管状の吸引接続管２４６の後端部に外嵌し、さらにその外周面上に糸２４７等を巻き付けて固定されている。
【０１００】
また、吸引接続管２４６は吸引チューブ２４２が接続されない一端を先端硬質部２４１に形成された透孔２４８に挿入し、接着剤または半田、ロー付け等にて気密接続されている。
【０１０１】
ライトガイドファイバ２４３の先端部は硬質のパイプ状の部材であるライトガイド前側口金２５１に挿入して固着され、ライトガイド前側口金２５１より挿入部１２側においてはチューブ体よりなるライトガイド保護チューブ２５２が外装されている。ライトガイド保護チューブ２５２はライトガイド前側口金２５１の後端に外嵌し接着等により接続されている。
【０１０２】
先端硬質部２４１には先端カバー２５３が固着され、先端カバー２５３が固着されない端には複数個連接した円管状の湾曲短管２５５の先端が接続されており、さらに湾曲短管２５５はリベット２５６により複数個回動自在に連接されている。複数個連接された湾曲短管２５５の外周には金属線または高分子繊維を筒状に編んだり組んだりした湾曲被覆編線２５７が配されており、湾曲被覆編線２５７の外周にはさらにゴム、エラストマー等の伸展性を有するチューブ体よりなる湾曲被覆ゴム２５８が配され湾曲管部１６を構成している。また、最先端の湾曲短管２５５には湾曲機構に一端を固定された湾曲操作ワイヤ２５９が固定されている。
【０１０３】
吸引接続管２４６と吸引チューブ２４２の接続部はライトガイド前側口金２５１とライトガイド保護チューブ２５２の接続部分よりも挿入部１２の基端側にずらして配されている。
【０１０４】
上記構成に加えて、図２５、図２６に示すように、先端硬質部２４１のライトガイド前側口金２５１が接続される透孔部２４８において、先端硬質部２４１の面を先端側にずらして設けてある第１の段差部２６１及び第２の段差部２６２が形成されている。
【０１０５】
第１の段差部２６１はライトガイド前側口金２５１とライトガイド保護チューブ２５２の接続部の最大外径よりも大きな内径を有する開口よりなる。
【０１０６】
第２の段差部２６２はライトガイド前側口金２５１とライトガイド保護チューブ２５２の接続部の最大外径よりも大きい幅よりなる切り欠き状の段差よりなる。第１の段差部２６１及び第２の段差部２６２の段差量Ｌは、ライトガイド前側口金２５１とライトガイド保護チューブ２５２の接続部の長さと同等かこれ以上に形成されている。その他の構成については、第１〜第３実施形態と同様にて説明を省略する。
【０１０７】
（作用）
吸引チューブ２４２と吸引接続管２４６の接続部は隣接するライトガイドファイバ２４３のライトガイド前側口金２５１とライトガイド保護チューブ２５２の接続部よりも挿入部基端側にずれているため、吸引チューブ２４２と吸引接続管２４６の接続部外周とライトガイド保護チューブ２５２の外周との隙間を大きく取れる。
吸引チューブ２４２と吸引接続管２４６の接続部より基端側に、ライトガイド保護チューブ２５２の外径が大きくなるような部分はなく、吸引チューブ２４２を挿入部基端側に向かって引き抜いてもライトガイド保護チューブ２５２と干渉することはない。
その他の作用については、第１〜第３実施形態と同様にて説明を省略する。
【０１０８】
（効果）
第１〜第３実施形態の効果に加えて、吸引チューブ２４２を破損し交換修理する場合、吸引チューブ２４２と吸引接続管２４６の接続部を取り外し、または取り付ける際に、ライトガイド保護チューブ２５２との空間を大きく取れるため、そのライトガイド保護チューブ２５２を破損し難い。
吸引チューブ２４２のみを挿入部１２の内部より引き抜く際に、ライトガイドファイバ２４３に干渉し、ライトガイドファイバ２４３を破損することが無く、また、新品の吸引チューブ２４２を挿入する際にその吸引チューブ２４２を破損してしまうこともない。
【０１０９】
［第５実施形態］
図２７乃至図３０を用いて本発明の第５実施形態を説明する。
【０１１０】
（構成）
この第５実施形態は内視鏡２の挿入部１２における可撓管部１５と湾曲管部１６との接続部の構成の例である。
湾曲管部１６を構成する湾曲管３０１の基端側部材は金属よりなる円管状の接続管３０２の最小外径部に外挿し、固定されている。
【０１１１】
接続管３０２の、湾曲管３０１が固定されない一端には、内径が最も大きな嵌合部３０３が形成されており、この嵌合部３０３には可撓管部１５の、帯状の板を螺旋状にして管状体に形成してなる螺旋管３０４と、この螺旋管３０４の外周に金属線及び高分子繊維を筒状に編んで形成された編線３０５が挿入し、接着等により固着されている。編線３０５の外周には樹脂等による外皮樹脂３０６が気密的に配されている。
【０１１２】
接続管３０２の内周面には湾曲操作ワイヤ３０７を誘導するコイル３０８の先端が接着または半田、ロー付け等により固着されている。接続管３０２の、コイル３０８が固着される位置には径方向にその内径を大きくするように形成された大径部３１１が形成されており、この大径部３１１にコイル３０８が固着されている。接続管３０２には、大径部３１１と嵌合部３０３の間に大径部３１１よりも径方向に内径を大きくするように形成された溝部３１２が形成されている。
【０１１３】
尚、大径部３１１及び溝部３１２は図２９に示すように、コイル３０８の外径よりも大きな径よりなる円形状溝に形成されていても良い。また、溝部３１２の長手方向の距離Ｍは１ｍｍ〜１０ｍｍの範囲である。
その他の構成については第１〜第４実施形態と同様にて説明を省略する。
【０１１４】
（作用）
コイル３０８と接続管３０２の固着部において、接続管３０２の内周面よりコイル３０８が内側に突出する量を少なくすることができる。これにより、接続管３０２及びコイル３０８にて構成される内空間を広くすることができる。
大径部３１１にコイル３０８を固着する場合の接着剤または半田が溝部３１２に流れ込み、大径部３１１以外でコイル３０８が接続管３０２に固着することはない。
溝部３１２によりコイル３０８が大径部３１１より螺旋管３０４の内周面に緩やかに変位し、湾曲操作ワイヤ３０７が本部位で急激に折れない。
【０１１５】
（効果）
第１〜第４実施形態の効果に加え、挿入部１２において、可撓管部１５と湾曲管部１６との接続部において、外径を小さく構成することができる。湾曲操作ワイヤ３０７の耐久性を低下させることがない。大径部３１１、溝部３１２を図２９で示すように、円形断面にて形成することで、図２８での形状のものよりも加工が簡便である。
【０１１６】
本発明は前述した実施形態のものに限定されない。また、上記実施形態の説明によれば少なくとも以下に列記する事項及びその任意の組み合わせの事項のものが得られる。
【０１１７】
＜付記＞
付記項１．基端に操作部を有する挿入部と、この挿入部の先端に設けられた先端部材と、
先端部材に観察窓の外表面に対向して設けられた噴出ノズルと、
噴出ノズルに接続され、その噴出ノズルに気体及び液体を供給する送気送液管路と、
送気送液管路に分岐部を介して接続された送気管路及び送液管路を有し、
送気管路及び送液管路から分岐部を通じて上記送気送液管路に送気送液を行うようにした内視鏡において、
挿入部内空間の断面積よりも大きな断面積を有する、膨大部を挿入部よりも手元側部位に設け、この膨大部内に上記分岐部を配したことを特徴とする内視鏡。
【０１１８】
付記項２．先端部材には、処置具の誘導及び汚物の吸引を行う管路が接続されており、この管路は、膨大部において一部を内視鏡外部に開口する鉗子挿通分岐部に接続された内視鏡において、
送気管路と送液管路の分岐部は、鉗子挿通分岐部よりも手元側に配されていることを特徴とする付記項１記載の内視鏡。
付記項３．送気管路と送液管路の分岐部は、操作部の把持部の内部に形成された膨大部内に配されていることを特徴とする付記項１，２記載の内視鏡。
【０１１９】
付記項４．送気管路と送液管路の分岐部は、送気送液切替え用弁に直接に接続されていることを特徴とする付記項１記載の内視鏡。
【０１２０】
付記項５．送気管路及び送液管路を通じて送気送液を行う切替え機構を設け、切替え機構は、内視鏡または内視鏡が接続される周辺機器に設けられた制御手段により制御することを特徴とする付記項１記載の内視鏡。
付記項６．制御手段は、操作部に設けられたスイッチの操作により機能することを特徴とする付記項５記載の内視鏡。
【０１２１】
付記項７．制御手段は、液体の供給後、気体の供給操作をした場合において送気管路内に設定された気体の供給圧力よりも大きな圧力よりなる気体を一定時間供給するように制御することを特徴とする付記項５記載の内視鏡。
付記項８．一定時間とは、１０秒以内であることを特徴とする付記項７記載の内視鏡。
付記項９．送気管路と送液管路の分岐部は、湾曲操作機構が配された部位よりも、挿入部側に配設されていることを特徴とする付記項１，２記載の内視鏡。
【０１２２】
付記項１０．送気管路と送液管路の分岐部は、操作部を構成する外装体の一部を取り外すことで、外部に露呈される部位に配設されたことを特徴とする付記項１記載の内視鏡。
【０１２３】
付記項１１．噴出ノズルに接続される気体及び液体を供給する送気送液管路は、送気管路と送液管路の分岐部に着脱可能に接続されていることを特徴とする付記項１記載の内視鏡。
付記項１２．着脱可能な接続方式は、管路の内外周を同時に管状体にて挟持することを特徴とする付記項１１記載の内視鏡。
【０１２４】
付記項１３．噴出ノズルに接続される気体及び液体を供給する送気送液管路は、少なくとも１回のループを形成し、送気管路と送液管路の分岐部に接続されていることを特徴とする付記項１記載の内視鏡。
【０１２５】
付記項１４．ループは、膨大部において形成されていることを特徴とする付記項１３記載の内視鏡。
【０１２６】
付記項１５．送気管路と送液管路の分岐部は、操作部内の部材にネジ等により固定されていることを特徴とする付記項１記載の内視鏡。
【０１２７】
付記項１６．送気管路と送液管路の分岐部は、硬質のパイプ材をＹ字状に組み合わせて構成されていることを特徴とする付記項１記載の内視鏡。
付記項１７．送気管路と送液管路の分岐部は、樹脂成型、アルミダイキャスト、ロストワックス成型、メタルモールド等の成型物により形成されていることを特徴とする付記項１記載の内視鏡。
【０１２８】
付記項１８．送気管路と送液管路の分岐部は、送気管路と、送液管路と、送気送液管路とが接続されるそれぞれの接続端部が挿入部の長手軸方向に平行であることを特徴とする付記項１記載の内視鏡。
付記項１９．送気管路と送液管路の分岐部は、操作部のベースに固定するようにしたことを特徴とする付記項１５記載の内視鏡。
【０１２９】
付記項２０．挿入部の先端部材に設けられた観察窓と、この観察窓の外表面に対向して設けられた噴出ノズルと、挿入部内に形成され上記噴出ノズルに連通する送気管路及び液体管路を有する内視鏡において、
送気管路の管路抵抗が、噴出ノズルの円筒部内の管路抵抗よりも小さくなるように構成されていることを特徴とする内視鏡。
【０１３０】
付記項２１．噴出ノズルの円筒部の内部断面積ＳN 、送気管路の内部断面積ＳA との間の関係が、
ＳN ＜ＳA となるように構成されていることを特徴とする付記項２０記載の内視鏡。
付記項２２．噴出ノズルの円筒部の内径Ｎ、送気管路の内径Ａとの間の関係が、
Ｎ＜Ａとなるように構成されていることを特徴とする付記項２０記載の内視鏡。
付記項２３.噴出ノズルに接続される液体管路の管路抵抗が、噴出ノズルの 円筒部内の管路抵抗以下となるように構成されていることを特徴とする付記項２０記載の内視鏡。
【０１３１】
付記項２４．噴出ノズルに接続される液体管路の内部断面積をＳW とした場合、
ＳN ≦ＳW となることを特徴とする付記項２３記載の内視鏡。
【０１３２】
付記項２５．噴出ノズルに接続される液体管路の内径をＷとした場合、Ｎ≦Ｗとなるように構成されていることを特徴とする付記項２３記載の内視鏡。
【０１３３】
付記項２６．噴出ノズルに１つの管路である送気送液管路が接続され、送気送液管路より送気管路と液体管路に分岐してなる管路を有する内視鏡において、
送気管路の管路抵抗が最も小さく、送気送液管路の管路抵抗が噴出ノズルの円筒部内管路抵抗以下となるように構成されていることを特徴とする付記項２０記載の内視鏡。
【０１３４】
付記項２７．送気送液管路の内部断面積をＳD とすると、
ＳN ≦ＳD ＜ＳA となるように構成されていることを特徴とする付記項２６記載の内視鏡。
【０１３５】
付記項２８．送気送液管路の内径をＤとした場合、
Ｎ≦Ｄ＜Ａとなるように構成されていることを特徴とする付記項２６記載の内視鏡。
付記項２９．送気送液管路の管路抵抗と液体管路の管路抵抗が同一に構成されていることを特徴とする付記項２６記載の内視鏡。
【０１３６】
付記項３０．ＳD ＝ＳW であることを特徴とする付記項２９記載の内視鏡。
付記項３１．Ｄ＝Ｗであることを特徴とする付記項２９記載の内視鏡。
付記項３２．噴出ノズルの観察窓の外表面に対向する開口部の断面積は、噴出ノズルの円筒部の断面積よりも小さいことを特徴とする付記項２０記載の内視鏡。
【０１３７】
付記項３３．液体管路は、送気管路の内部に配せられていることを特徴とする付記項２０、２６記載の内視鏡。
【０１３８】
付記項３４．液体管路と、送気管路は、１本のチューブ内に形成された２つのルーメンより構成されていることを特徴とする付記項２０、２６記載の内視鏡。
【０１３９】
付記項３５．送気送液管路が送気管路と液体管路に分岐する分岐部において、
分岐部に形成される管路の抵抗は、接続される各管路の管路抵抗以上になるように構成されていることを特徴とする付記項２６記載の内視鏡。
付記項３６．分岐部に形成される管路の断面積は、これに接続される各管路の断面積と同一になるように形成されていることを特徴とする付記項３５記載の内視鏡。
【０１４０】
付記項３７．分岐部に形成される管路の内径は、接続される各管路の内径と同一になるように形成されていることを特徴とする付記項３５記載の内視鏡。  付記項４０．先端部材に、気体及び液体を供給する管路、処置具の誘導及び汚物の吸引を行う管路と、照明光あるいは観察像を導くファイバーバンドルを固定してなる内視鏡において、
各管路は、硬質のパイプ材を介して先端部材に接続され、ファイバーバンドルは、硬質のパイプ材に挿入され先端部材に接続されており、少なくとも一つの接続部は他の接続部に対して挿入部方向にずらして配されていることを特徴とする内視鏡。
【０１４１】
付記項４１．各管路、ファイバーバンドルの先端部材への接続部のうち、隣接する接続部が、互いに挿入部方向にずれていることを特徴とする付記項４０記載の内視鏡。
付記項４２．各管路、ファイバーバンドルの先端部材への接続部のうち、処置具の誘導及び汚物の吸引を行う管路の接続部が最も挿入部基端側に位置していることを特徴とする付記項４０記載の内視鏡。
付記項４３．処置具の誘導及び汚物の吸引を行う管路の接続部が、隣接する管路及びファイバーバンドルよりも挿入部基端側に位置していることを特徴とする付記項４２記載の内視鏡。
【０１４２】
付記項４４．接続部は、硬質のパイプ部材の外周に、管路及び保護チューブが被嵌されて形成されてなることを特徴とする付記項４０記載の内視鏡。
付記項４５．接続部は、硬質のパイプ部材の外周に、管路及び保護チューブが被嵌されたうえ、糸等の部材により被嵌部を巻回されてなることを特徴とする付記項４４記載の内視鏡。
付記項４６.硬質のパイプ部材は、先端部材に溶接、半田または接着等によ り固着されていることを特徴とする付記項４０記載の内視鏡。
【０１４３】
付記項４７．先端部材と硬質のパイプ部材の固着部は、挿入方向に位置がずれて設けられていることを特徴とする付記項４０、４１記載の内視鏡。
付記項４８．先端部材と硬質のパイプ部材の固着部のずれは、先端部材に挿入方向に設けられた段差により形成されることを特徴とする付記項４７記載の内視鏡。
付記項４９．先端部材において、挿入方向に設けられた段差は、段差部に接続される各管路及びファイバーバンドルの外径よりも大きく形成された、開口部であることを特徴とする付記項４８記載の内視鏡。
【０１４４】
付記項５０．開口部は、段差部に接続される各管路及びファイバーバンドルと硬質のパイプ部材との接続部の外径よりも大きく形成されたことを特徴とする付記項４９記載の内視鏡。
【０１４５】
付記項６０．基端に操作部を有する細管状の挿入部と、挿入部の端部に構成された、複数のリング状部材を回動自在に接続されて構成され、上下左右に湾曲可能な湾曲管部と、湾曲管部の先端に設けられた先端部材とからなり、挿入部と湾曲管部とを接続する接続管の内面に、湾曲操作ワイヤを案内するコイルが固着されてなる挿入部を備えた内視鏡において、
接続管の内面の一部に、径方向に一部内径の大きな大径部を形成し、該大径部にコイルを固着したことを特徴とする内視鏡。
【０１４６】
付記項６１．大径部は、接続管の最小内径部の長手方向の全長にわたり形成されていることを特徴とする付記項６０記載の内視鏡。
【０１４７】
付記項６２．大径部は、コイルの半径と同一かこれ以上の半径よりなる円状溝であることを特徴とする付記項６０記載の内視鏡。
【０１４８】
付記項６３．接続管のコイル固着部と挿入部の可撓管部が当接する部位間には、大径部よりも、その内径が径方向に大きく形成された溝部が形成されていることを特徴とする付記項６０記載の内視鏡。
【０１４９】
付記項６４．溝部は大径部が形成されている部位と、可撓管部が当接する部位間のみに形成されていることを特徴とする付記項６３記載の内視鏡。
【０１５０】
付記項６５．溝部の長手方向の長さは、１ｍｍ以上であることを特徴とする付記項６３記載の内視鏡。
【０１５１】
付記項６６．溝部の長手方向の長さは、１０ｍｍ以下であることを特徴とする付記項６３記載の内視鏡。
【０１５２】
付記項６７．接続管の内径は、挿入部の可撓管部の内径と略同一であることを特徴とする付記項６０記載の内視鏡。
【０１５３】
付記項６８．溝部は、大径部の半径よりも大きな半径よりなる円状溝よりなることを特徴とする付記項６３記載の内視鏡。
【０１５４】
・付記項１〜３、５〜６に係る作用は、
挿入部内に配された、気体及び液体を供給する管路を１つとすることで、挿入部を細径化できると言うことである。
【０１５５】
・付記項４、１５に係る作用は、送気管路と送液管路の分岐部を操作部内の切替え用弁装置またはその他の構成部に固定することで、分岐部が操作部内で移動してしまうことを防止し、分岐部が湾曲機構等に干渉することを防止できると言うことである。
【０１５６】
・付記項７〜８に係る作用は、気体及び液体を供給する１つの管路に、送液後に大きな圧力よりなる気体を一定時間供給することで、液体の除去が短時間で行え、液体と気体の供給の切り替え時間を短縮できると言うことである。
・付記項９に係る作用は、送気管路と送液管路の分岐部が操作部内において移動しても、湾曲操作機構に干渉しないと言うことである。
・付記項１０〜１２に係る作用は、操作部を構成する外装体の一部を取り外すことで、送気管路と送液管路の分岐部が露呈され、分岐部とこれに接続される各管路の着脱が可能であると言うことである。
【０１５７】
・付記項１３、１４に係る作用は、挿入部の曲げ及び湾曲部の湾曲動作により、挿入部内に配された、気体及び液体を供給する管路に長手方向に張力または圧縮力が加わった場合、ループ部にてこの張力または圧縮力を吸収することができ、気体及び液体を供給する管路と噴出ノズルとの接続部及び送気管路と送液管路の分岐部との接続部に力がかからないと言うことである。
・付記項１６、１７に係る作用は、送気管路と送液管路の分岐部の構成及び組み立てが簡便にできると言うことである。
【０１５８】
・付記項２０〜２２、２６〜２８、３２、３５〜３９に係る作用は、噴出ノズルよりも、気体の供給される上流側の管路（送気管路）内径及び断面積が大きいことにより、噴出ノズルへ流入する気体の流量が増加し、これにより噴出ノズルの開口部における流速が早くなり、観察窓表面に付着した水滴等を除去する能力が上がると言うことである。
【０１５９】
・付記項２３〜２５、２９〜３１、３２、３５〜３９に係る作用は、噴出ノズルよりも、液体の供給される上流側の管路（液体管路）内径及び断面積が同等かこれ以上に構成されていることにより、噴出ノズルヘ流入する液体の流量が低下することが無く、噴出ノズルの開口部における流速が低下しないため、観察窓に付着した汚物等を除去する能力が低下しないと言うことである。
【０１６０】
・付記項３３、３４に係る作用は、液体管路が送気管路の内部に配されていることで、挿入部内に上記各管路は１本の管路として配することができ、挿入部内において他の内蔵物と干渉することがないと言うことである。
【０１６１】
・付記項４０〜５０に係る作用は、処置具の誘導及び汚物の吸引を行う管路の先端部材との接続部が、隣接する他の内蔵物と先端部材の接続部よりも、手元側にずれていることで、隣接する他の内蔵物の接続部が太径化していても、処置具の誘導及び汚物の吸引を行う管路の交換作業に障害となることが無く、作業が簡便に行えると言うことである。
【０１６２】
・付記項６０〜６２に係る作用は、接続管の大径部にコイルを固定することで、接続管とコイルにより囲まれる空間が広く形成でき、接続管の内径を小さく形成した場合においても、該空間部に配する内蔵物を小さく形成する必要が無く、ここで、挿入部の外径を小さく形成させることができると言うことである。
また、接続管の肉厚を全周にわたって薄くしていないので、接続管自体の強度も低下しない。
【０１６３】
・付記項６３〜６８に係る作用は、大径部にコイルが固着される部位から、挿入部の可撓管部の内径にコイルが移行する間に、溝部が形成されていることで、コイルは溝部の範囲で配設される半径方向を徐々に可撓管の内径にまで変化することができる。
よって、コイルが接続管部分で急激な半径方向への位置変化で座屈することがない。
また、コイルと接続管の固着部において、固着手段である半田またはロー付け等が溝部へ流れ込み、コイルと接続管が大径部以外にて固着することがないと言うことである。
【０１６４】
付記項１〜３、５〜８に記載の構成によると、送気及び送液管路を有する内視鏡において、内視鏡の挿入部を細径化することができることに加えて、送液と送気の切り替えを短時間にて行えると言う効果が得られる。
【０１６５】
付記項４、９、１５に記載の構成によると、送気及び送液管路を有する内視鏡において、内視鏡の挿入部を細径化することができることに加えて、湾曲操作機構に損傷を与えないと言う効果が得られる。
【０１６６】
付記項１０〜１２に記載の構成によると、送気及び送液管路を有する内視鏡において、内視鏡の挿入部を細径化することができることに加えて、管路の修理交換が簡便にできるという効果が得られる。
【０１６７】
付記項１３、１４に記載の構成によると、送気及び送液管路を有する内視鏡において、内視鏡の挿入部を細径化することができることに加えて、挿入部の曲げや湾曲部の湾曲動作によって送気・送液管路が操作部内にて進退されても、送気、送液の各管路の接続部が破壊されないと言う効果が得られる。
【０１６８】
付記項１６、１７に記載の構成によると、送気及び送液管路を有する内視鏡において、内視鏡の挿入部の細径化することができることに加えて、送気管路と送液管路の合流部を簡便に形成できると言う効果が得られる。
【０１６９】
付記項２０〜２２、２６〜２８、３２、３５〜３９に記載の構成によると、観察窓に付着した水滴を効率的に除去できるということに加えて、送液後の送気への切り替え時間を短縮することができると言う効果が得られる。
付記項２３〜２５、２９〜３２、３５〜３９に記載の構成によると、観察窓に付着した水滴を効率的に除去できるということに加えて、観察窓に付着した汚物の除去能力を低下させないと言う効果が得られる。
付記項３３、３４に記載の構成によると、送気及び送液の管路を内視鏡内部に、コンパクトに配すると言うことに加えて、送気及び送液管路の合流部において、他の内蔵物を破損し難いと言う効果が得られる。
【０１７０】
付記項４０〜５０に記載の構成によると、内視鏡の先端構成部に、吸引管路、ファイバーバンドル及び送気送液管路等の内蔵物を密に配設することができると言うことに加え、吸引管路を交換修理する際に、隣接する内蔵物を破損しないと言う効果が得られる。
【０１７１】
付記項６０〜６２の記載の構成によると、内視鏡の湾曲管部と可撓管部の接続部の外径を小さく構成することができると言うことに加え、各内蔵物を小さくせず、機能を低下させることがないと言う効果が得られる。
【０１７２】
付記項６３〜６８に記載の構成によると、内視鏡の湾曲管部と可撓管部の接続部の外径を小さく構成することができると言うことに加え、湾曲機能の耐性を低下させることがないと言う効果が得られる。
【０１７３】
・実公昭６２−３８６４２号公報の問題点は、外管及び内管の操作部側及び先端側の接続部構造が煩雑になってしまい、管路の修理交換を行う作業が面倒であると言う点と、送液から送気に切り替えた場合に、柔軟性管体に残存した液体を絞り出すように、送気のための管路を確保する為、送気に時間が掛かってしまうと言うことである。
【０１７４】
付記項２０〜３９に対する従来技術として特開平６−４６９９０号公報がある。これの問題点は、挿入部に配される送液管路と送気管路の断面積の和が、上記各管路が１本に合流する送気送液管路の断面積と等しく形成されていることで、送気管路から送気送液管路に流入する気体の流速が、減少してしまい、送液後に観察窓の表面に付着した水滴を除去する能力が低下してしまうと言うことである。
【０１７５】
付記項４０〜５０に対する従来技術として特開平６−３１９６９０号公報がある。これの問題点は、吸引管路が先端部材に接続される位置が、隣接する管路またはライトガイドケーブル等の接続部と同位置に構成されているため、吸引管路を取り外し、取り付ける作業時に、上記隣接する管路またはライトガイドケーブル等の接続部を破損してしまう可能性があると言うことである。
【０１７６】
付記項６０〜６８に対する従来技術として特公平６−１６７４７号公報がある。これの問題点は接続管の切り欠き部に、内蔵物が入り込んだ際に、切り欠き部により形成される段差により内蔵物が破損する可能性があると言うことである。
【０１７７】
・付記項７〜８の目的は、送液から送気への切り替え時間を短縮させることである。
・付記項４、９、１５の目的は、送気管路と送液管路の分岐部が、湾曲操作機構と干渉することを回避し、湾曲機構を破損しないことである。
・付記項１３、１４の目的は、挿入部の曲げ及び湾曲部の湾曲動作により、送気送液管路に張力又は圧縮力が加わっても、管路の接続部が外れるようなストレスが加わらないと言うことである。
【０１７８】
・付記項１０〜１２の目的は、管路の接続部の修理交換が簡便にできると言うことである。
・付記項１６、１７の目的は、送気管路と送液管路の分岐部を簡便に形成させると言うことである。
・付記項２０〜２２、２６〜２８、３２の目的は、観察窓に付着した水滴を除去を効率的に行えると言うことである。
【０１７９】
・付記項２３〜２５、２９〜３１、３２の目的は、噴出ノズルより噴出させる液体の流速を低下させず、観察窓に付着した汚物の除去が効率的に行えると言うことである。
・付記項３３、３４の目的は、２本の送気、送液管路を挿入部内にコンパクトに配設することである。
【０１８０】
・付記項３５〜３７の目的は、送気送液管路が、送気管路と液体管路に分岐する分岐部において、各管路を流れる気体及び液体に対する管路抵抗が大きくならず、観察窓に付着した汚物の除去と観察窓に付着した水滴の除去が効率的に行えると言うことである。
【０１８１】
・付記項４０〜５０の目的は、処置具の誘導及び汚物の吸引を行う管路の修理交換時に、隣接する他の内蔵物の接続部を破損せず、容易に交換できると言うことである。
・付記項６０〜６２の目的は、接続管部の外径を小さくし、内視鏡の挿入部の外径を小さくすることである。
・付記項６３〜６８の目的は、コイルが固着部により急激に折れ曲がることによる破損を無くし、挿入部内の内蔵物の破損を防止することができると言うことである。
【０１８２】
【発明の効果】
以上説明したように本発明によれば、送気管路及び送液管路を有し、これらを噴出ノズルに接続するようにした内視鏡において、内視鏡の挿入部の細径化することができると言う格別な効果が得られる。
【図面の簡単な説明】
【図１】第１実施形態に係る内視鏡システムの概略的な構成の説明図。
【図２】第１実施形態に係る内視鏡の概略的な構成の説明図。
【図３】上記内視鏡の送気送水制御弁と送気送液分岐部の縦断面図。
【図４】上記内視鏡の操作部から挿入部にかけての部分の縦断面図。
【図５】（ａ）は図４中Ｘ−Ｘ線に沿う部分の横断面図、（ｂ）は図４中Ｙ−Ｙ線に沿う部分の横断面図、（ｃ）は図４中Ｚ−Ｚ線に沿う部分の横断面図。
【図６】上記内視鏡の斜視図。
【図７】上記内視鏡の操作部から挿入部にかけての部分における配管を示す説明図。
【図８】上記内視鏡の送気送液分岐部の取付け構造の斜視図。
【図９】上記内視鏡の送気送液分岐部の他の取付け構造の斜視図。
【図１０】上記内視鏡の他の送気送液分岐部の縦断面図。
【図１１】第２実施形態に係る内視鏡の概略的な構成の説明図。
【図１２】第２実施形態における光源装置の説明図。
【図１３】第２実施形態における加圧チューブとタンクの説明図。
【図１４】第２実施形態における制御装置の制御手順の説明図。
【図１５】第２実施形態における制御装置の制御手順の説明図。
【図１６】第３実施形態における送気送液管路分岐部の構造の説明図。
【図１７】第３実施形態における送気送液管路分岐部の他の構造の説明図。
【図１８】第３実施形態における噴出ノズルの斜視図。
【図１９】第３実施形態における送気チューブと送液チューブの他の構造の斜視図。
【図２０】第３実施形態における送気チューブと送液チューブの他の構造の縦断面図。
【図２１】第３実施形態における送気チューブと送液チューブのさらに他の構造の斜視図。
【図２２】第３実施形態における送気チューブと送液チューブのさらに他の構造の縦断面図。
【図２３】第４実施形態における内視鏡の先端部の図２４中Ｑ−Ｑ線に沿う部分の横断面図。
【図２４】第４実施形態における内視鏡の先端部の図２３中Ｚ−Ｚ線に沿う部分の横断面図。
【図２５】第４実施形態における内視鏡の先端部の図２６中Ｒ−Ｒ線に沿う部分の横断面図。
【図２６】第４実施形態における内視鏡の先端部の図２５中Ｐ−Ｐ線に沿う部分の横断面図。
【図２７】第５実施形態における内視鏡の可撓管部と湾曲管部の接続部の縦断面図。
【図２８】第５実施形態における内視鏡の先端部の横断面図。
【図２９】第５実施形態における内視鏡の先端部の他のものの横断面図。
【図３０】第５実施形態における内視鏡の接続管の斜視図。
【符号の説明】
２…内視鏡、１１…操作部、１２…挿入部、１５…可撓管部、１６…湾曲管部、１７…先端部、２０…噴出ノズル、２１…処置具挿通チャンネル、３７…送気チューブ、３８…送液チューブ、４５…送気送液制御弁、４６…吸引制御弁、４７…送気送液管路分岐部、４９…送気送液チューブ、５１…吸引管路分岐部、６１…膨大部。
【図１】
0003889875.tif 000002
【図２】
0003889875.tif 000003
【図３】
0003889875.tif 000004
【図４】
0003889875.tif 000005
【図５】
0003889875.tif 000006
【図６】
0003889875.tif 000007
【図７】
0003889875.tif 000008
【図８】
0003889875.tif 000009
【図９】
0003889875.tif 000010
【図１０】
0003889875.tif 000011
【図１１】
0003889875.tif 000012
【図１２】
0003889875.tif 000013
【図１３】
0003889875.tif 000014
【図１４】
0003889875.tif 000015
【図１５】
0003889875.tif 000016
【図１６】
0003889875.tif 000017
【図１７】
0003889875.tif 000018
【図１８】
0003889875.tif 000019
【図１９】
0003889875.tif 000020
【図２０】
0003889875.tif 000021
【図２１】
0003889875.tif 000022
【図２２】
0003889875.tif 000023
【図２３】
0003889875.tif 000024
【図２４】
0003889875.tif 000025
【図２５】
0003889875.tif 000026
【図２６】
0003889875.tif 000027
【図２７】
0003889875.tif 000028
【図２８】
0003889875.tif 000029
【図２９】
0003889875.tif 000030
【図３０】
0003889875.tif 000031